(57)【特許請求の範囲】
【請求項１】
ショートメッセージ受信機能の遮蔽のための方法であって、
加入者識別モジュール（ＳＩＭ：Ｓｕｂｓｃｒｉｂｅｒ  Ｉｄｅｎｔｉｔｙ  Ｍｏｄｅｌ）カードにおける基礎ファイル（ＥＦ：Ｅｌｅｍｅｎｔａｒｙ  Ｆｉｌｅ）にショートメッセージ受信機能遮蔽に関連するパラメータを記憶し、
前記ＳＩＭカードにおける前記基礎ファイルと、データカードにおける不揮発性ランダムアクセスメモリ（ＮＶ：Ｎｏｎ  Ｖｏｌａｔｉｌｅ  Ｒａｎｄｏｍ  Ａｃｃｅｓｓ  Ｍｅｍｏｒｙ）ファイルとの間の相互チェックを用いることによって、前記ＳＩＭカードを前記データカードに用いるかどうかを判定する場合、データカード端末がネットワークにアタッチするプロセスにおいて、ショートメッセージ受信機能遮蔽に関連する前記パラメータをネットワークに報告する
ことを特徴とする方法。
【請求項２】
前記データカードが電源オンになった後における前記ＳＩＭカードの初期化のプロセスにおいて、ファームウェア側のプログラムは、前記ＳＩＭカードにおけるショートメッセージ受信機能遮蔽に関連する前記パラメータを記憶している前記基礎ファイルを読み取り、ショートメッセージ受信機能遮蔽に関連する前記パラメータを記憶する
ことを特徴とする請求項１に記載の方法。
【請求項３】
前記初期化が完了した後に、
前記データカード端末が、前記ネットワークにアタッチし、且つ、前記ネットワークにアタッチするプロセスにおいて、ショートメッセージ受信機能遮蔽に関連する前記パラメータを前記ネットワークに報告し、
前記ネットワークが、ショートメッセージ受信機能遮蔽に関連する前記パラメータを取得した後に、前記ＳＩＭカードのＣＳ（Ｃｉｒｃｕｉｔ  Ｓｗｉｔｃｈｅｄ）ドメイン及びＰＳ（Ｐａｃｋｅｔ  Ｓｗｉｔｃｈｅｄ）ドメインの前記ショートメッセージ受信機能を遮蔽し、且つ、ユーザに対するモバイルターミナルショートメッセージサービス（ＭＴ  ＳＭＳ：Ｍｏｂｉｌｅ  Ｔｅｒｍｉｎａｔｅｄ  Ｓｈｏｒｔ  Ｍｅｓｓａｇｅ  Ｓｅｒｖｉｃｅ）がある場合、プロトコルに従って失敗を示すエラーパラメータをショートメッセージの送信側に返す
ことを特徴とする請求項２に記載の方法。
【請求項４】
前記ＳＩＭカードの前記基礎ファイルに記憶され、ショートメッセージ受信機能を表す前記パラメータは、書き込まれているかどうかのパラメータ、ＣＳドメインのショートメッセージパラメータ、及びＰＳドメインのショートメッセージパラメータという３つの部分を含む
ことを特徴とする請求項３に記載の方法。
【請求項５】
前記書き込まれているかどうかのパラメータの部分は、前記ＳＩＭカードが、前記ショートメッセージ受信機能を遮蔽する前記データカード端末において、初めて利用されるかどうかを表し、
前記ＳＩＭカードが初めて利用され、前記書き込まれているかどうかのパラメータの部分が有効ではない場合、すなわちそのフィールドに何も書き込まれていない場合、
前記データカードのファームウェア・プログラムが、前記ＳＩＭカードの前記基礎ファイルにショートメッセージ遮蔽を表す新たなパラメータのグループを書き込み、且つ、前記データカードの前記ＮＶに記憶しているショートメッセージ受信機能遮蔽に関連する前記パラメータを新たに作成された基礎ファイルに書き込み、且つ、当該部分のマークを有効とする
ことを特徴とする請求項４に記載の方法。
【請求項６】
前記ＣＳドメインのショートメッセージパラメータの部分は、前記ＣＳドメインで搬送されるショートメッセージの受信に対する前記データカード端末のサポート能力を表し、前記ショートメッセージ受信機能を遮蔽する場合に、当該部分のパラメータを無効とする
ことを特徴とする請求項４に記載の方法。
【請求項７】
前記ＰＳドメインのショートメッセージパラメータの部分は、前記ＰＳドメインで搬送されるショートメッセージの受信に対する前記データカード端末のサポート能力を表し、前記ショートメッセージ受信機能を遮蔽する場合に、当該部分のパラメータを無効とする
ことを特徴とする請求項４に記載の方法。
【請求項８】
前記ＮＶは、前記ＣＳドメインのショートメッセージに関連するパラメータ、及びＰＳドメインのショートメッセージに関連するパラメータを含む、前記ＣＳドメイン及び前記ＰＳドメインのショートメッセージ受信機能遮蔽に関連するパラメータを記憶するように構成されている
ことを特徴とする請求項３に記載の方法。
【請求項９】
前記ＣＳドメインのショートメッセージパラメータの部分は、前記ＣＳドメインで搬送されるショートメッセージの受信に対する前記データカード端末のサポート能力を表し、無効となるように構成されており、
前記ＰＳドメインのショートメッセージパラメータの部分は、前記ＰＳドメインで搬送されるショートメッセージの受信に対する前記データカード端末のサポート能力を表し、無効となるように構成されている
ことを特徴とする請求項８に記載の方法。
【請求項１０】
前記データカードのファームウェア・プログラムは、前記ＳＩＭカードにおける、ショートメッセージ受信機能遮蔽に関連するパラメータを記憶している基礎ファイルを読み取り、前記パラメータが前記基礎ファイルに書き込まれているかどうかを判定し、
前記パラメータが前記基礎ファイルに書き込まれている場合、前記データカードの前記ファームウェア・プログラムが前記基礎ファイルから前記パラメータを読み取り、
前記パラメータが前記基礎ファイルに書き込まれていない場合、前記データカードの前記ファームウェア・プログラムが、１つの基礎ファイルを作成し、且つ前記データカードのＮＶからショートメッセージ受信機能遮蔽に関連する前記パラメータを読み取り、前記ＮＶにおける前記ショートメッセージ受信機能遮蔽に関連する前記パラメータを新たに作成された前記基礎ファイルに書き込む
ことを特徴とする請求項１に記載の方法。
【請求項１１】
前記ＳＩＭカードの初期化が完了した後における前記データカード端末がネットワークにアタッチするプロセスにおいて、ショートメッセージ受信機能遮蔽に関連する前記パラメータを前記ネットワークに報告することは、
前記データカード端末が、前記ＳＩＭカードの初期化が完了した後に、前記ネットワークとインタラクションして認証を行い、
前記データカード端末が、認証が完了した後に前記ネットワークへのアタッチを開始し、且つ、ショートメッセージ受信機能遮蔽に関連する前記パラメータを読み取り、且つ、ネットワークにアタッチするプロセスにおいて、ショートメッセージ受信機能遮蔽に関連する前記パラメータを前記ネットワークに報告し、
前記ネットワークが、前記データカード端末から報告されるショートメッセージ受信機能遮蔽に関連する前記パラメータに応じて、設定を行う
ことを含む
ことを特徴とする請求項３に記載の方法。
【請求項１２】
ユーザに対するモバイルターミナルショートメッセージサービス（ＭＴ  ＳＭＳ：Ｍｏｂｉｌｅ  Ｔｅｒｍｉｎａｔｅｄ  Ｓｈｏｒｔ  Ｍｅｓｓａｇｅ  Ｓｅｒｖｉｃｅ）がある場合、プロトコルに従って失敗を示すエラーパラメータをショートメッセージの送信側に返すことは、
他のモバイル端末が、受信側にショートメッセージを送信し、
前記ネットワークが、前記送信側から送信されたショートメッセージデータを受信し、
前記ネットワークが、前記受信側の番号を解析して呼び出しを開始し、
前記ネットワークが、前記受信側が前記ショートメッセージ受信機能をサポートするかどうかを判断し、
前記受信側が前記ショートメッセージ受信機能をサポートする場合、ショートメッセージをショートメッセージ・センターに送り、その後、無線インタフェースを介して受信側に送信し、
前記受信側が前記ショートメッセージ受信機能をサポートしない場合、送信プロセスを中止し、エラー原因を送信側に返す
ことを含む
こと特徴とする請求項３に記載の方法。
【請求項１３】
ショートメッセージ受信機能の遮蔽のためのデータカードであって、
無線メッセージサービス（ＷＭＳ：Ｗｉｒｅｌｅｓｓ  Ｍｅｓｓａｇｅ  Ｓｅｒｖｉｃｅ）モジュールと、ＳＩＭ（Ｓｕｂｓｃｒｉｂｅｒ  Ｉｄｅｎｔｉｔｙ  Ｍｏｄｅｌ）カード読み書きモジュールと、ＮＶ（Ｎｏｎ  Ｖｏｌａｔｉｌｅ）ファイル制御モジュールと、ネットワーク探索モジュールとを含み、
前記ＷＭＳモジュールは、ＳＩＭ（Ｓｕｂｓｃｒｉｂｅｒ  Ｉｄｅｎｔｉｔｙ  Ｍｏｄｅｌ）カードの初期化プロセスを開始し、且つ、前記ＳＩＭカードにおける基礎ファイル（ＥＦ：Ｅｌｅｍｅｎｔａｒｙ  Ｆｉｌｅ）を読み書きし、且つ、ＮＶ（Ｎｏｎ  Ｖｏｌａｔｉｌｅ）ファイルを読み書きするように構成され、
前記ＳＩＭカード読み書きモジュールは、前記ＷＭＳモジュールによって開始される前記ＳＩＭカードに対する読み書き動作を実行するように構成され、
前記ＮＶファイル制御モジュールは、前記ＷＭＳモジュールによって開始されるＮＶファイルに対する読み書き動作を実行し、且つ、ショートメッセージ受信機能遮蔽に関連するパラメータを前記ＷＭＳモジュールに返すように構成され、
ネットワーク探索モジュールは、前記ＳＩＭカードモジュールから送信されるショートメッセージ受信機能遮蔽に関連する前記パラメータを取得した後におけるネットワークにアタッチするプロセスにおいて、ショートメッセージ受信機能遮蔽に関連する前記パラメータを前記ネットワークに報告するように構成されている
ことを特徴とするデータカード。
【請求項１４】
前記ＷＭＳモジュールは、まず前記ＳＩＭカードの初期化プロセスを完了し、その後、前記ＳＩＭカードからショートメッセージ受信機能遮蔽に関連する前記パラメータを記憶するための基礎ファイルを読み取り、
前記基礎ファイルに前記パラメータが書き込まれていない場合、前記データカードにおける前記ＮＶファイルを読み取り、前記ＮＶファイルにおけるショートメッセージ受信機能遮蔽に関連する前記パラメータを前記ＳＩＭカードの前記基礎ファイルに書き込む
ことを特徴とする請求項１３に記載のデータカード。
【発明の詳細な説明】
【技術分野】
【０００１】
本発明はショートメッセージ受信の遮蔽のための技術に関し、特に、ショートメッセージ受信機能の遮蔽のための方法及びデータカードに関する。
【背景技術】
【０００２】
第３世代パートナーシッププロジェクトロングタームエボリューション（Ｔｈｅ  ３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ：３ＧＰＰ  ＬＴＥ）システムでは、基地局集中スケジューリングの方式を用いてユーザ端末（Ｕｓｅｒ  Ｅｑｕｉｐｍｅｎｔ：ＵＥ）の物理アップリンク共有チャネル（Ｐｈｙｓｉｃａｌ  Ｕｐｌｉｎｋ  Ｓｈａｒｅｄ  Ｃｈａｎｎｅｌ：ＰＵＳＣＨ）の伝送を制御する。
【０００３】
第三世代（３Ｇ：３ｒｄ  Ｇｅｎｅｒａｔｉｏｎ）通信技術の発展及び商業利用の普及につれて、通信事業者間の競争が激しくなっている。データカード端末機器の販売は、通信事業者からのカスタマイズの要求によりますます拡大している。ここで、ショートメッセージ機能は、不可欠であり、かつ、重要的なカスタマイズの要求である。そして、様々な異なるショートメッセージのカスタマイズの要求は、多くの通信事業者によって要求される端末におけるソフトウェアの一般的な傾向になっている。
【０００４】
既存の移動通信ネットワークには、データサービスやショートメッセージサービスや音声サービスなどがある。しかし、これらのサービスにおける並行処理のサポートが不十分である。２種類以上のサービスが同時に実行される場合に、サービスのリアルタイム性と連続性と安定性とが同時に確保されず、各側面にはある程度の損失が存在する。これは、あるサービスは回路交換ドメインで搬送され、またあるサービスはパケット交換ドメインで搬送されるためである。
【０００５】
現在、データカードのポジショニングは、主にデータサービス、即ち、一般的なウェブページブラウジングやデータダウンロードなどを目的とする。データカードを持つユーザは、要求に応じて、携帯電話とデータカードとにおいて、同一の加入者識別モジュール（ＳＩＭ：Ｓｕｂｓｃｒｉｂｅｒ  Ｉｄｅｎｔｉｔｙ  Ｍｏｄｅｌ）カードを付け替えて利用することがある。ユーザがＳＩＭカードをデータカード上に配置して利用する場合に、データサービスにより多くの注意が払われる。これは、データサービスにとって、パソコン（ＰＣ：Ｐｅｒｓｏｎａｌ  Ｃｏｍｐｕｔｅｒ）よりも携帯電話端末でデータ動作を行う方が遥かに便利であるが、ショートメッセージサービスでは同様ではないからである。したがって、ユーザの要求に応じて、データカード端末において、ショートメッセージ受信機能を遮蔽することで、大いにデータサービスの安定性を向上させることが可能であり、且つ、端末においてユーザがサービスの種類を選択する柔軟性を増大させることが可能である。そして、ユーザがデータサービスの品質に注目する場合、ショートメッセージ受信を自動的に遮蔽することが可能なデータカード端末では、ユーザがショートメッセージ受信機能をリアルタイムで終了することが可能であり、ショートメッセージの送信側にはショートメッセージ料金がかからない。そして、ユーザのＳＩＭカードがモバイル端末において利用される場合、ショートメッセージ受信機能は影響を受けない。これによって、ユーザがその時点のネットワーク環境及び機能要求に応じて、リアルタイムでショートメッセージ機能を設定することが可能である。
【発明の開示】
【発明が解決しようとする課題】
【０００６】
本発明の目的は、ショートメッセージ受信機能の遮蔽のための方法及びデータカードを提供することにある。
【課題を解決するための手段】
【０００７】
前記目的を実現するために、本発明は、ショートメッセージ受信機能の遮蔽のための方法を提供する。当該方法では、ＳＩＭカードにおける基礎ファイル（ＥＦ：Ｅｌｅｍｅｎｔａｒｙ  Ｆｉｌｅ）にショートメッセージ受信機能遮蔽に関連するパラメータを記憶し、ＳＩＭカードにおける基礎ファイルと、データカードにおける不揮発性ランダムアクセスメモリ（ＮＶ：Ｎｏｎ  Ｖｏｌａｔｉｌｅ  Ｒａｎｄｏｍ  Ａｃｃｅｓｓ  Ｍｅｍｏｒｙ）ファイルとの間の相互にチェックを用いることによって、前記ＳＩＭカードを前記データカードに用いるかどうかを判定する場合、データカード端末がネットワークにアタッチするプロセスにおいて、ショートメッセージ受信機能遮蔽に関連するパラメータをネットワークに報告する。
【０００８】
更に、前記データカードが電源オンになった後におけるＳＩＭカードの初期化のプロセスにおいて、ファームウェア側のプログラムは、ＳＩＭカードにおけるショートメッセージ受信機能遮蔽に関連するパラメータを記憶している基礎ファイルを読み取り、ショートメッセージ受信機能遮蔽に関連するパラメータを記憶する。
【０００９】
更に、前記初期化が完了する後に、データカード端末が、ネットワークにアタッチし、且つ、ネットワークにアタッチするプロセスにおいて、ショートメッセージ受信機能遮蔽に関連するパラメータをネットワークに報告し、ネットワークが、前記ショートメッセージ受信機能遮蔽に関連するパラメータを取得した後に、当該ＳＩＭカードの回線交換（ＣＳ：Ｃｉｒｃｕｉｔ  Ｓｗｉｔｃｈｅｄ）ドメイン及びパケット交換（ＰＳ：Ｐａｃｋｅｔ  Ｓｗｉｔｃｈｅｄ）ドメインのショートメッセージ受信機能を遮蔽し、且つ、ユーザに対するモバイルターミナルショートメッセージサービス（ＭＴ  ＳＭＳ：Ｍｏｂｉｌｅ  Ｔｅｒｍｉｎａｔｅｄ  Ｓｈｏｒｔ  Ｍｅｓｓａｇｅ  Ｓｅｒｖｉｃｅ）がある場合、プロトコルに従って失敗を示すエラーパラメータをショートメッセージの送信側に返す。
【００１０】
更に、前記ＳＩＭカードの基礎ファイルに記憶され、ショートメッセージ受信機能を表すパラメータは、書き込まれているかどうかのパラメータ、ＣＳドメインのショートメッセージパラメータ、及びＰＳドメインのショートメッセージパラメータという３つの部分を含む。
【００１１】
更に、書き込まれているかどうかのパラメータの部分は、前記ＳＩＭカードが、ショートメッセージ受信機能を遮蔽するデータカード端末において、初めて利用されるかどうかを表し、前記ＳＩＭカードが初めて利用され、前記書き込まれているかどうかのパラメータの部分が有効でない場合、すなわちそのフィールドに何も書き込まれていない場合、データカードのファームウェア・プログラムが、ＳＩＭカードの基礎ファイルにショートメッセージ遮蔽を表す新たなパラメータのグループを書き込み、且つ、データカードのＮＶに記憶しているショートメッセージ受信機能遮蔽に関連するパラメータを新たに作成された基礎ファイルに書き込み、且つ、当該部分のマークを有効とする。
【００１２】
更に、前記ＣＳドメインショートメッセージパラメータ部分は、ＣＳドメインで搬送されるショートメッセージの受信に対するデータカード端末のサポート能力を表し、ショートメッセージ受信機能を遮蔽する場合に、当該部分のパラメータを無効とする。
【００１３】
更に、前記ＮＶは、ＣＳドメインのショートメッセージに関連するパラメータ、及びＰＳドメインのショートメッセージに関連するパラメータを含む、ＣＳドメイン及びＰＳドメインのショートメッセージ受信機能遮蔽に関連するパラメータを記憶するように構成されている。
【００１４】
更に、前記ＣＳドメインのショートメッセージパラメータ部分は、ＣＳドメインで搬送されるショートメッセージの受信に対するデータカード端末のサポート能力を表し、無効となるように構成されており、前記ＰＳドメインのショートメッセージパラメータの部分は、ＰＳドメインで搬送されるショートメッセージの受信に対するデータカード端末のサポート能力を表し、無効となるように構成されている。
【００１５】
更に、データカードのファームウェア・プログラムは、ＳＩＭカードにおける、ショートメッセージ受信機能遮蔽に関連するパラメータを記憶している基礎ファイルを読み取り、パラメータが基礎ファイルに書き込まれているかどうかを判定し、パラメータが基礎ファイルに書き込まれている場合、前記データカードの前記ファームウェア・プログラムが基礎ファイルからパラメータを読み取り、パラメータが基礎ファイルに書き込まれていない場合、１つの基礎ファイルを作成し、且つデータカードのＮＶからショートメッセージ受信機能遮蔽に関連するパラメータを読み取り、ＮＶにおけるショートメッセージ受信機能遮蔽に関連するパラメータを新たに作成された基礎ファイルに書き込む。
【００１６】
更に、ＳＩＭカードの初期化が完了した後における前記データカード端末がネットワークにアタッチするプロセスにおいて、ショートメッセージ受信機能遮蔽に関連するパラメータをネットワークに報告することは、前記データカード端末が、ＳＩＭカードの初期化が完了した後に、ネットワークとインタラクションして認証を行い、データカード端末が、認証が完了した後にネットワークへのアタッチを開始し、且つ、ショートメッセージ受信機能遮蔽に関連するパラメータを読み取り、且つ、ネットワークにアタッチするプロセスにおいて、ショートメッセージ受信機能遮蔽に関連するパラメータをネットワークに報告し、ネットワークが、データカード端末から報告されるショートメッセージ受信機能遮蔽に関連するパラメータに応じて、設定を行うことを含む。
【００１７】
更に、ユーザに対するモバイルターミナルショートメッセージサービスがある場合、プロトコルに従って失敗を示すエラーパラメータをショートメッセージの送信側に返すことは、他のモバイル端末が、受信側にショートメッセージを送信し、ネットワークが、送信側から送信されたショートメッセージデータを受信し、ネットワークが、受信側の番号を解析して呼び出しを開始し、ネットワークが、受信側がショートメッセージ受信機能をサポートするかどうかを判断し、サポートする場合、ショートメッセージをショートメッセージ・センターに送り、その後、無線インタフェースを介して受信側に送信し、サポートしない場合、送信プロセスを中止し、エラー原因を送信側に返すことを含む。
【００１８】
前記目的を実現するために、本発明は、データカードを提供する。前記データカードは、
無線メッセージサービス（ＷＭＳ：Ｗｉｒｅｌｅｓｓ  Ｍｅｓｓａｇｅ  Ｓｅｒｖｉｃｅ）モジュールと、ＳＩＭ（Ｓｕｂｓｃｒｉｂｅｒ  Ｉｄｅｎｔｉｔｙ  Ｍｏｄｅｌ）カード読み書きモジュールと、ＮＶ（Ｎｏｎ  Ｖｏｌａｔｉｌｅ）ファイル制御モジュールと、ネットワーク探索モジュールとを含み、
前記ＷＭＳモジュールは、ＳＩＭ（Ｓｕｂｓｃｒｉｂｅｒ  Ｉｄｅｎｔｉｔｙ  Ｍｏｄｅｌ）カードの初期化プロセスを開始し、且つ、前記ＳＩＭカードにおける基礎ファイル（ＥＦ：Ｅｌｅｍｅｎｔａｒｙ  Ｆｉｌｅ）を読み書きし、且つ、ＮＶ（Ｎｏｎ  Ｖｏｌａｔｉｌｅ）ファイルを読み書きするように構成され、
前記ＳＩＭカード読み書きモジュールは、前記ＷＭＳモジュールによって開始される前記ＳＩＭカードに対する読み書き動作を実行するように構成され、
前記ＮＶファイル制御モジュールは、前記ＷＭＳモジュールによって開始されるＮＶファイルに対する読み書き動作を実行し、且つ、ショートメッセージ受信機能遮蔽に関連するパラメータを前記ＷＭＳモジュールに返すように構成され、
ネットワーク探索モジュールは、前記ＳＩＭカードモジュールから送信されるショートメッセージ受信機能遮蔽に関連する前記パラメータを取得した後におけるネットワークにアタッチするプロセスにおいて、ショートメッセージ受信機能遮蔽に関連する前記パラメータを前記ネットワークに報告するように構成されている。
【００１９】
更に、前記ＷＭＳモジュールは、まずＳＩＭカードの初期化プロセスを完了し、その後、ＳＩＭカードからショートメッセージ受信機能遮蔽に関連するパラメータを記憶するための基礎ファイルを読み取り、基礎ファイルにパラメータが書き込まれていない場合、データカードにおけるＮＶファイルを読み取り、ＮＶファイルにおけるショートメッセージ受信機能遮蔽に関連するパラメータをＳＩＭカードの基礎ファイルに書き込む。
【００２０】
つまり、従来技術と比べて、本発明に係る技術スキームによれば、ユーザの要求に応じて、ショートメッセージ受信機能を遮蔽でき、ショートメッセージ料金がかからない。これによって、大いにデータサービスの安定性を向上させることが可能であり、且つ、端末においてユーザがサービスの種類を選択する柔軟性を増大させることが可能である。
【図面の簡単な説明】
【００２１】
【図１】本発明の一実施形態に係るデータカードのモジュールの模式図である。
【図２】本発明の一実施形態に係るＳＩＭカードの基礎ファイルにおけるショートメッセージ受信機能遮蔽に関連するパラメータの記憶構成図である。
【図３】本発明の一実施形態に係るデータカード端末のＮＶファイルにおけるショートメッセージ受信機能遮蔽に関連するパラメータの記憶構成図である。
【図４】本発明の一実施形態に係るデータカード端末が電源オンになった後におけるＳＩＭカードの初期化プロセスにおいて、ＳＩＭカードにおける基礎ファイルを判定し、そしてショートメッセージ受信機能遮蔽に関連するパラメータを読み書きして記憶するプロセスを示す図である。
【図５】本発明の一実施形態に係るＳＩＭカードの初期化が完了した後におけるデータカード端末がネットワークにアタッチするシグナリング・フローにおいて、ショートメッセージ受信機能遮蔽に関連するパラメータを読み取ってネットワークに報告するプロセスを示す図である。
【図６】本発明の一実施形態に係るモバイル端末から、ショートメッセージ受信機能を遮蔽するデータカード端末にショートメッセージを送信する場合に、モバイル端末とネットワークとのシグナリングのインタラクションプロセスを示すフローチャートである。
【発明を実施するための形態】
【００２２】
本発明の技術スキームの主要なアイデアは、ＳＩＭカードにおける基礎（ＥＦ：Ｅｌｅｍｅｎｔ  Ｆｉｌｅ）ファイルと、データカードにおける不揮発性ランダムアクセスメモリ（ＮＶ：Ｎｏｎ  Ｖｏｌａｔｉｌｅ  Ｒａｎｄｏｍ  Ａｃｃｅｓｓ  Ｍｅｍｏｒｙ）ファイルとの間を相互チェックし、これによって、最終的に、ＳＩＭカードがデータカードに利用されることを判定するための方法、及びショートメッセージ受信機能を自動的に遮蔽するための方法を提供することにある。
【００２３】
本発明では、ＳＩＭカードにおける基礎ファイルとデータカードにおけるＮＶファイルとの間の相互チェックを行う。データカード端末がネットワークにアタッチするプロセスにおいて、回線交換ドメイン（ＣＳ：Ｃｉｒｃｕｉｔ  Ｓｗｉｔｃｈｅｄ  Ｄｏｍａｉｎ）又はパケット交換ドメイン（ＰＳ：Ｐａｃｋｅｔ  Ｓｗｉｔｃｈｅｄ  Ｄｏｍａｉｎ）をサポートしないモバイルターミナルショートメッセージサービス（ＭＴ  ＳＭＳ：Ｍｏｂｉｌｅ  Ｔｅｒｍｉｎａｔｅｄ  Ｓｈｏｒｔ  Ｍｅｓｓａｇｅ  Ｓｅｒｖｉｃｅ）メッセージをネットワークに報告することで、ショートメッセージ受信機能を遮蔽し、送信側に料金がかからない機能を実現する。当該技術スキームはデータカード端末と、通信事業者ネットワークと、ＳＩＭカードとの３つの側面に関する。
【００２４】
ショートメッセージサービス（ＳＭＳ：Ｓｈｏｒｔ  Ｍｅｓｓａｇｅ  Ｓｅｒｖｉｃｅ）は通信事業者の１つの重要な付加価値サービスである。一般的なＳＩＭカードユーザのショートメッセージ受信機能はすべてオープンステータスである。３ＧＰＰプロトコルのルールに従って、モバイル端末は、パワーオンの後に、一連のシグナルインタラクションを介して、ネットワークに通知し、異なるドメインに搬送されるショートメッセージをサポートするユーザの素性を示すパラメータのグループを報告する。
【００２５】
本発明の技術スキームでは、ＳＩＭカードにおける基礎ファイルエリア内の専用の場所が、様々なサービスをサポートするＳＩＭカードユーザの素性を記録するために用いられる。モバイル端末は、電源オンになった後に、認証・ネットワークアタッチプロセスを開始する。このプロセスにおいて、モバイル端末のファームウェア・プログラムが、ＳＩＭカード中の関連する基礎ファイルにおけるパラメータを読み取り、ネットワークに様々なサービスをサポートするモバイル端末の素性の情報を報告する。通信事業者ネットワークのデータベースは、これらのパラメータに応じて、各ＳＩＭカードユーザの国際モバイル加入者識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｅｒ）と対応する機能的な関係を確立できる。
【００２６】
データカード端末によって実現されるべき機能は、以下の２つの機能である。第１に、ＳＩＭカードの初期化プロセスにおいて、ＳＩＭカードが最初にデータカード端末上で利用されるかどうかを判定する。最初に利用される場合、１つの新規基礎ファイルを作成して、ＮＶにおけるショートメッセージのパラメータを基礎ファイルに書き込む。最初に利用されない場合、ファームウェア側のプログラムによって基礎ファイルにおけるパラメータを読み取る。第２に、モバイル端末がネットワークにアタッチするプロセスにおいて、ファームウェア側のプログラムが基礎ファイルにおけるショートメッセージ受信パラメータをネットワークに報告する。ネットワークは、報告されたパラメータに応じて、当該ＩＭＳＩユーザのショートメッセージサポート情報を記憶することで、あるユーザが当該ＳＩＭカードのユーザにショートメッセージを送信する場合にも、ネットワーク側が拒否することができる。したがって、ユーザによって送信されたショートメッセージがショートメッセージセンターに送られず、これによって、当該ショートメッセージに対する料金がかからない。
【００２７】
以上の２つの機能は次のプロセスで実現される。
１、データカードが電源オンになった後におけるＳＩＭカードの初期化プロセスにおいて、ファームウェア側のプログラムが、ＳＩＭカードにショートメッセージ受信機能遮蔽に関連するパラメータを記憶している基礎ファイルを読み取って、コードに基礎ファイルにおけるパラメータを記憶する。
２、初期化が完了した後に、データカード端末が、ネットワークにアタッチし、ネットワークにアタッチするプロセスにおいて、ショートメッセージ受信機能遮蔽に関連するパラメータをネットワークに報告する。通信事業者ネットワークがパラメータのグループを取得した後に、ＣＳドメイン及びＰＳドメインにおけるショートメッセージ受信機能から当該ＳＩＭカードユーザを自動的に遮蔽する。当該ユーザに対するＭＴ  ＳＭＳが存在する場合に、ショートメッセージの送信側に、プロトコルのルールに従って、失敗を示すエラーパラメータを返す。
【００２８】
以下、図面及び具体的な実施形態を参照して本発明の技術スキームを説明する。
【００２９】
図１は本発明の一実施形態に係るデータカードのモジュールの模式図である。本実施形態では、データカードが、無線メッセージ・サービス（ＷＭＳ：Ｗｉｒｅｌｅｓｓ  Ｍｅｓｓａｇｅ  Ｓｅｒｖｉｃｅ）モジュールＳ１０１、ＳＩＭカード読み書きモジュールＳ１０２、ＮＶファイル制御モジュールＳ１０３及びネットワーク探索モジュールＳ１０４を含む。
【００３０】
ＷＭＳモジュールＳ１０１は、ＳＩＭカードの初期化プロセスを開始すること、ＳＩＭカードにおける基礎ファイルを読み書きすること、及びＮＶファイルを読み書きすることなどの機能を含む。当該ＷＭＳモジュールＳ１０１は、まずＳＩＭカードの初期化プロセスを完了し、次にＳＩＭカードからショートメッセージ受信機能遮蔽に関連するパラメータを記憶するための基礎ファイルを読み取る。当該基礎ファイルにパラメータが書き込まれない場合、データカードにおけるＮＶファイルを読み取って、ＮＶファイルにおけるショートメッセージ受信機能遮蔽に関連するパラメータをＳＩＭカードの基礎ファイルに書き込む。
【００３１】
ＳＩＭカード読み書きモジュールＳ１０２の機能は、ＷＭＳモジュールによって開始されるＳＩＭカードに対する読み書き動作を実行することである。
【００３２】
ＮＶファイル制御モジュールＳ１０３は、主に、ＷＭＳモジュールによって開始される、ＮＶファイルに対する読み書き動作を実行して、ＷＭＳモジュールにパラメータを返す。
【００３３】
ネットワーク探索モジュールＳ１０４は、ＳＩＭカードモジュールから送信されるショートメッセージ受信機能遮蔽に関連するパラメータを取得した後におけるネットワークにアタッチするプロセスにおいて、当該パラメータをネットワークに報告する。
【００３４】
図２は本発明の一実施形態に係るＳＩＭカードのＥＦファイルにおけるショートメッセージ受信機能遮蔽に関連するパラメータの記憶構成図である。本実施形態では、ＳＩＭカードの基礎ファイルに記憶されている、ショートメッセージ受信機能を表すパラメータが、書き込まれているかどうかのパラメータＳ２０１、ＣＳドメインショートメッセージパラメータＳ２０２、及びＰＳドメインショートメッセージパラメータＳ２０３という３つの部分を含む。
【００３５】
書き込まれているかどうかのパラメータＳ２０１の部分は、当該ＳＩＭカードが初めてショートメッセージ受信機能遮蔽のデータカード端末において利用されるかどうかを表す。最初に利用される場合、当該部分がまだ有効に構成されていない。このとき、当該部分の値が０ｘＦＦであり、すなわちこのフィールドに書き込まれないことを表す。データカードのファームウェア・プログラムがＳＩＭカードの基礎ファイルに新たなショートメッセージ遮蔽パラメータのグループを書き込み、データカードのＮＶに記憶しているショートメッセージ受信機能遮蔽に関連するパラメータを新たに作成された基礎ファイルに書き込み、そして当該部分のマークを０ｘ０１とする。
【００３６】
ＣＳドメインショートメッセージパラメータＳ２０２の部分は、ＣＳドメインに搬送されるショートメッセージの受信に対する端末のサポート能力を表す。本発明の方法では、ショートメッセージ受信機能がオープンステータスであるため、当該部分のパラメータが０ｘ００に設定されている。
【００３７】
ＰＳドメインショートメッセージパラメータＳ２０３の部分は、ＰＳドメインに搬送されるショートメッセージの受信に対する端末のサポート能力を表す。ショートメッセージ受信機能がオープンステータスであるため、当該部分のパラメータが０ｘ００に設定されている。
【００３８】
図３は本発明の一実施形態に係るデータカード端末のＮＶファイルにおけるショートメッセージ受信機能遮蔽に関連するパラメータの記憶構成図である。本実施形態では、ショートメッセージ受信機能を遮蔽するために、データカードにおいて、ショートメッセージ受信機能を遮蔽する機能を保持するためのＮＶアイテムが拡張される。当該ＮＶアイテムは、ＣＳドメイン及びＰＳドメインにおけるショートメッセージ機能を遮蔽することに関連するパラメータを記憶するように構成されている。当該パラメータは、ＣＳドメインショートメッセージパラメータＳ３０１及びＰＳドメインショートメッセージパラメータＳ３０２の２つの部分を含む。
【００３９】
ＣＳドメインショートメッセージパラメータＳ３０１の部分は、ＣＳドメインに搬送されるショートメッセージの受信に対する端末のサポート能力を表す。本発明の方法では、当該部分のパラメータが０ｘ００に設定されている。
【００４０】
ＰＳドメインショートメッセージパラメータＳ３０２の部分は、ＰＳドメインに搬送されるショートメッセージの受信に対する端末のサポート能力を表す。本発明の方法では、当該部分のパラメータが０ｘ００に設定されている。
【００４１】
図４は本発明の一実施形態に係るデータカード端末が電源オンになった後におけるＳＩＭカードの初期化プロセスにおいて、ＳＩＭカードにおける基礎ファイルを判定し、そしてショートメッセージ受信機能遮蔽に関連するパラメータを読み書きして記憶するプロセスの模式図である。
【００４２】
データカードは、電源オンになった後に、ＳＩＭカードの初期化プロセスを開始する。このプロセスにおいて、ＳＩＭカードにおけるファイルを検索して読み書きする。具体的なプロセスは次の通りである。
【００４３】
ステップＳ４０１において、データカードを電源オンにする。
具体的には、データカードにＳＩＭカードを挿入し、データカードをＰＣのＵＳＢ（Ｕｎｉｖｅｒｓａｌ  Ｓｅｒｉａｌ  Ｂｕｓ）ポートに接続した後に、データカードの電源を投入する。
【００４４】
ステップＳ４０２において、ＳＩＭカードの初期化を開始する。
つまり、データカードがオンラインになり、動作モードがオンラインに設定された後に、ＳＩＭカードの初期化プロセスを開始する。
【００４５】
ステップＳ４０３において、基礎ファイルを読み取る。
具体的には、データカードのファームウェア・プログラムは、ＳＩＭカードにおけるショートメッセージ受信機能遮蔽に関連するパラメータを記憶するために用いられる基礎ファイルを読み取ろうとする。
【００４６】
ステップＳ４０４において、基礎ファイルにパラメータが書き込まれているかどうかを判定する。
具体的には、ステップＳ４０３での読み取り結果に応じて、当該基礎ファイルにパラメータが書き込まれているかどうかを判定する。基礎ファイルにパラメータが書き込まれている場合、ステップＳ４０５に進み、基礎ファイルにパラメータが書き込まれていない場合、ステップＳ４０６に進む。
【００４７】
ステップＳ４０５において、基礎ファイルにおけるショートメッセージ・パラメータを読み取る。
具体的には、基礎ファイルが既に存在している場合には、基礎ファイルにおけるショートメッセージ受信機能遮蔽に関連するパラメータを直接に読み取って、当該パラメータを記憶する。
【００４８】
ステップＳ４０６において、関連するＮＶアイテムを読み取る。
具体的には、基礎ファイルが存在しない場合、基礎ファイルを作成してデータカードのＮＶにおけるパラメータを読み取る。
【００４９】
ステップＳ４０７において、ＮＶにおけるショートメッセージ遮蔽パラメータを基礎ファイルに書き込む。
具体的には、ＮＶにおけるパラメータ値を新たに作成された基礎ファイルに書き込む。
【００５０】
ステップＳ４０８において、ショートメッセージ遮蔽パラメータを記憶する。
【００５１】
図５は本発明の一実施形態に係るデータカード端末は、ＳＩＭカードの初期化が完了した後におけるネットワークにアタッチするシグナリング・フローにおいて、ショートメッセージ受信機能遮蔽に関連するパラメータを読み取ってネットワークに報告するプロセスを示す図である。
【００５２】
ステップＳ５０１において、ＳＩＭカードの初期化が完了する。
【００５３】
ステップＳ５０２において、端末とネットワークとがインタラクションを行い、認証を開始する。
【００５４】
ステップＳ５０３において、認証が完了したかどうかを判定する。認証が完了した場合、ステップＳ５０４に進み、認証が完了していない場合、ステップＳ５０２に進む。
【００５５】
ステップＳ５０４において、認証が完了した後に、ネットワークへのアタッチを開始する。
【００５６】
ステップＳ５０５において、ショートメッセージ受信機能遮蔽に関連するパラメータを読み取る。
ここで、データカードのファームウェア・プログラムは、図３において記憶されているショートメッセージ受信機能遮蔽に関連するパラメータを読み取る。
【００５７】
ステップＳ５０６において、上記パラメータをネットワークに報告する。
ネットワークにアタッチするプロセスにおいて、各ドメインに搬送されるＭＴ  ＳＭＳに対する端末のサポート能力を表すパラメータをネットワークに報告する。
【００５８】
ステップＳ５０７において、ネットワークは、端末から報告されたパラメータを受信した後に、関連する設定を行う。
【００５９】
図６は本発明の一実施形態に係るモバイル端末から、ショートメッセージ受信機能を遮蔽するデータカード端末にショートメッセージを送信する場合に、モバイル端末とネットワークとのシグナリングのインタラクションプロセスを示すフローチャートであり、以下のステップを含む。
【００６０】
ステップＳ６０１において、モバイル端末は、受信側にショートメッセージを送信する。
【００６１】
ステップＳ６０２において、ネットワークは、送信側から送られたショートメッセージデータを受信する。
【００６２】
ステップＳ６０３において、ネットワークは、受信側の番号を解析して呼び出しを開始する。
【００６３】
ステップＳ６０４において、ネットワークは、受信側がショートメッセージ受信機能をサポートするかどうかを判定する。サポートする場合、ステップＳ６０５に進み、サポートしない場合、ステップＳ６０６に進む。
【００６４】
テップＳ６０５において、ショートメッセージをショートメッセージ・センターに送った後に、無線インタフェースを介して受信側に送信する。
当該ユーザがショートメッセージ受信機能を正常にサポートする場合、ネットワークがショートメッセージをショートメッセージ・センターに引き続き送信し、ショートメッセージ・センターによって受信側に送り、ショートメッセージ料金がかかる。
【００６５】
テップＳ６０６において、送信プロセスを中止し、エラー原因を送信側に返す。
当該ユーザはＣＳドメイン及びＰＳドメインのショートメッセージを遮蔽する動作を行う場合、ネットワークが次の送信プロセスを実行し続けず、直接エラー原因をショートメッセージの送信側に返す。
【００６６】
本発明の技術スキームでは、ユーザの要求に応じて、ショートメッセージ料金がかかることなく、ショートメッセージ受信機能を遮蔽できる。これにより、大いにデータサービスの安定性を向上させることが可能であり、端末においてユーザがサービスの種類を選択する柔軟性を増大させることが可能である。
【００６７】
以上の説明は、本発明の好適な実施形態に過ぎず、本発明を限定するものではない。当業者にとっては、本発明に基づく種々の変更と変形が可能である。本発明の趣旨及び範囲を逸脱することなく実施されたあらゆる修正、同等の置換及び改良等は、すべて本発明の保護範囲に属する。
【図１】
0005395964.tif 000002
【図２】
0005395964.tif 000003
【図３】
0005395964.tif 000004
【図４】
0005395964.tif 000005
【図５】
0005395964.tif 000006
【図６】
0005395964.tif 000007